(57)【要約】【課題】  放射性廃棄物は、従来の科学技術では処理することが不可能であり、危険性を回避した状態で保存して、放射性廃棄物が放射線を放出して自己崩壊するのを待つものに過ぎない。【解決手段】  本発明は、複合微生物体系の複合微生物動態系解析における複合発酵技術を用いて、処理槽内の酸化・変敗・腐敗を止め、すべての好気性および嫌気性フザリウム属菌群（酸化性細菌群）を抑制し、沈澱槽において固形発酵を起こさせることで、複合微生物の循環サイクルを起させ、難分解性の放射能・放射性物質に対する分解菌、分解酵素を現生、発現させ、分解消失する方法を提供するものである。【特許請求の範囲】
【請求項１】
本発明の複合微生物体系の複合微生物動態系解析における複合発酵法を用いた放射能・放射性物質分解処理方法は、廃液・廃水中の放射能・放射性物質の含有量によって腐敗発酵、発酵、発酵合成、合成のそれぞれの段階における複合発酵の進行過程が異なることから、必要な数が決定される微生物処理槽と、その槽の後に連結した沈殿槽からなる微生物処理装置を、放射能・放射性物質の処理に必要な腐敗発酵、発酵、発酵合成、合成の過程の数に応じて設置した廃液・廃水浄化設備であって、各微生物処理槽には、それぞれ所定の微生物が現生・発現するための菌床を投入しかつエアーを供給するように構成し、腐敗発酵及び発酵段階の微生物処理装置の前段階に放射能・放射性物質の含有量によって必要な数が決定される加圧タンクを設け、各微生物処理槽に一定量の排水が流入するようにし、各微生物処理装置で処理を終えた処理水をそれぞれ次の段階の微生物処理装置へ滞留が起きない様に水の流れを造って送り、それぞれの沈殿槽において沈殿して固形発酵した菌床をそれぞれ前段階の微生物処理装置の最初の槽へ個別にあるいは同時に返送する様に構成し、最後の沈殿槽において、上澄水を放流水としてオーバーフローさせ、その後にバイオ触媒槽を設け、その後に放射能・放射性物質の質と濃度によって設置する数が決定されるシリカ触媒槽、カーボン触媒槽、マテリアル触媒槽、カーボンフィルター、及びミクロフィルターを設けたことを特徴とするものである。
【発明の詳細な説明】
【技術分野】
【０００１】  本発明は、放射能・放射性物質の微生物学的処理に関する。
【背景技術】
【０００２】  放射能とは、物質から自発的に放射線が放出される現象、及び放射能を持つ核種のことをいい、本明細書では後者の意味で使用しており、放射性物質とは、放射性核種（放射能）を含む物質である。放射能及び放射能を含む物質を分解することは不可能とされており、放射性廃棄物は高レベルのものは、ガラス固化してオーバーパックという金属性の容器に封入し、さらに緩衝材として粘土で包み地下深く（３００ｍ以上）に埋設する地層処分が選択され、低レベルのものは、発生量を減らす努力がなされており、固体は燃やしたり、燃えないものは圧縮したりして減容し、液体は水分を蒸発させ、セメントなどと混ぜてドラム缶に密封し、鉄筋コンクリートのピットにドラム缶を収納し、ドラム缶とピットの間にセメント系充填材を入れて固め、周囲を水を通しにくいベントナイト混合土で覆い固めて地下水の侵入を防止し埋設している。
【発明の開示】
【発明が解決しようとする課題】
【０００３】  上記のような従来の技術では、高レベルでも低レベルでも放射性廃棄物の処理が実施されているのではなく、危険性を回避した状態で保存して、放射性廃棄物が放射線を放出して自己崩壊するのを待つものに過ぎない。【０００４】  放射能、放射性物質が短期間で消滅した事例として挙げられるのが、わが国の広島、長崎における原子爆弾被爆後の状況である。原子爆弾を製造したアメリカの物理学者の多くは、被爆地は５０年〜１００年の間不毛の地と化し、植物は一切生息できないと予測していたが、広島、長崎では半年後には雑草が生え出し、その数ヶ月後には草花が生えて花が咲き、木の芽が出て、一年後には放射能、放射性物質のレベルが激減し、人々の生活が可能になったのである。この事実は公知のものであるが、核実験が行なわれたネバダ砂漠や核事故が起きたチェルノブイリでは放射能、放射性物質の顕著な減少は見られない（但し、最近、チェルノブイリの南に位置するキエフ周辺の放射能、放射性物質が微生物の働きによって非放射性核種に転換された事実を確認したとの実験例が公表されている、キエフ・シェフチェンコ大学、Ｖ・Ｉ・ヴィソツキー教授他３名）のに、なぜ広島、長崎においてこのような事実が現出したのかは未だに定説はないが、多くの学者によって、広島、長崎の土壌中の微生物によって放射能、放射性物質の分解消失が起きたのではないかと推測されている（高橋良二著『ミクロ世界の物理学−生命・常温核融合・原子転換』）。【０００５】  そこで期待されているのは、放射線耐性菌、光合成細菌から選抜される放射能、放射性物質分解性微生物であるが、このようなシングルセルモノカルチャーの考え方では、分解してもそれはナノミリグラムの単位のものを数％分解した程度のレベルであって、実用化、工業化には程遠い段階でしかない現状である。また、この考え方、方法ではフザリウム菌群（酸化性細菌群）の抑制ができず、酸化・変敗・腐敗してしまうか、嫌気性菌群と好気性菌群が拮抗を起し、結局、放射能、放射性物質分解性微生物は死滅・消失してしまうのである。
現在まで、上記放射線耐性菌、光合成細菌として明らかにされているもの及び以下の複合微生物体系の複合微生物動態系解析における複合発酵法によるプラントにおける放射能、放射性物質の分解消失の実施実証において、同定特定されているもののうちで代表的なものを従来発見されているものとの相関において、以下に記載する。これらの放射線耐性菌及び光合成細菌の全部または一部を含む微生物群が複合発酵状態において発現・現生することではじめて放射性物質分解性微生物、分解酵素が発現・現生し、放射能、放射性物質を分解消失するものである。【０００６】
2005321365.tif 000002
2005321365.tif 000003
2005321365.tif 000004
【０００７】
2005321365.tif 000005
2005321365.tif 000006
2005321365.tif 000007
2005321365.tif 000008
【０００８】  本発明は、複合微生物体系の複合微生物動態系解析における複合発酵法を用いて、処理槽内の酸化・変敗・腐敗を止め、すべての好気性及び嫌気性フザリウム属菌群（酸化性細菌群）を抑制し、沈殿槽において固形発酵を起こさせることで、複合微生物の循環サイクルを起こさせ、難分解性の放射能・放射性物質に対する分解菌、分解酵素を現生、発現させ分解消失処理を実現することを目的としている。
【課題を解決するための手段】
【０００９】  上記目的を達成するために、本発明においては、複合微生物体系の複合微生物動態系解析における複合発酵法を用いて、処理槽内の酸化・変敗・腐敗を止め、すべての好気性及び嫌気性フザリウム属菌群（酸化性細菌群）を抑制し、沈殿槽において固形発酵（嫌気発酵）を起こさせることで、複合微生物の循環サイクルを起こさせ、放射能、放射線に対する耐衡性菌、対抗性菌が現生し、さらに分解菌、分解酵素を現生させて、放射能・放射性物質の分解消失処理を実現するものである。【００１０】  複合発酵法とは、情報微生物工学、情報生命工学、分子生物学より構成された複合微生物体系の複合微生物動態系解析における複合発酵法という科学技術を言い、微生物の機能性と基質性と情報性による発酵法、増殖法、誘導法を用い、単発酵、復発酵、並行復発酵、平衡復発酵、固体（固形）発酵を同時に行い、好気性菌と嫌気性菌及び通性嫌気性菌類のすべての微生物群の共存、共栄、共生を可能にするものである。【００１１】  複合発酵法の微生物プロセスは次のとおりである。まず、微生物酵素と植物酵素による抗酸化効果を用いて酸化・変敗・腐敗を抑制する。すると好気性発酵微生物である酵母、乳酸菌などがビタミン、ミネラル、アミノ酸などの生理活性物質をつくり、大腸菌や糸状菌などの好気性有害菌を抑制する。次に、通性嫌気性乳酸菌へとリレーして放線菌が現れる。この方線菌は、抗菌性物質をつくり、細菌、病原菌、ウィルス、リケッチャなどの嫌気性有害菌を浄菌する。この二つの淨菌作用が連動すると、アゾトバクター、アミロバクターや根瘤菌などの窒素固定菌が空気中の窒素を取り込んで固定する働きをし、最後に光合成細菌や藻類、藻菌類などの合成型の微生物が気体を培地として置換と交換を行なう。これらの微生物が強く連動することで、複合発酵という理想的な生態系へと導かれる。【００１２】  複合発酵状態になると、発酵→分解→合成のサイクルが生れ、好気性及び嫌気性有害菌は抑制される。このような生態系が生じると、すべての微生物を、共存、共栄、共生させることが可能となり、フザリウム属の占有率がゼロになり、酸化、変敗、腐敗を断ち切り、生態系内における微生物群の死滅率がゼロになることによって、すべての微生物群を発酵から合成に導き、生菌数を１ミリリットルあたり１０のｎ乗から無限大とし、同時に生菌数が１種類１ミリリットルあたり１０の９乗を超えると、菌のスケールが１０分の１以下となり、凝集化（固形化）を生じ、数千種、数万種の増殖が可能となる。これにより、微生物の高密度化が起こり、微生物のＤＮＡ核内に一酸化窒素、二酸化窒素及び高分子タンパク結晶による情報接合とエネルギー接合を引き起こし、その結果、微生物間でのＤＮＡ融合が生じ、融合微生物による対抗性菌、耐衡性菌により獲得した酵素及びタンパク質の高分子結合結晶が発生し、情報触媒の作用として情報とエネルギーを現生・発現させ、すべての物質、分子、原子レベルに対する分解菌並びに分解酵素を現生させて、すべての元素の原子核の陽子における分裂と崩壊の法則（β回路）を抑制し、中性子における合成と融合の法則（α回路）をハンドリングすることにより、常温超伝導、常温核分解、及び常温核融合を発現させる。以上の作用により、放射線エネルギー、放射能、放射性物質の相転移、転移、変位、昇華、消失を可能にするものである。
【発明の効果】
【００１３】  以上のように、本発明によれば、複合微生物体系の複合微生物動態系解析における複合発酵法を用いて、第１段階の好気性菌類による発酵系優先微生物処理と、第２段階の好気性菌類及び嫌気性菌類の乳酸菌、放線菌による発酵及発酵合成系微生物群処理と、第３段階の主に嫌気性菌類による発酵合成系微生物群処理、及び第４段階の嫌気性菌類による合成系微生物群処理により、抗酸化作用による酸化、変敗、腐敗の抑制、アミノ酸、糖類、ビタミン、ミネラル等の生理活性物質の生成及び大腸菌、雑菌、一般細菌の抑制、ストレプトマイセス・ペニシリウム等抗生物質の生成及びウィルス、病原菌、リケッチャーの滅菌、増殖抑制を行い、また、光合成細菌、藻菌類、光合成微生物が、光源の光によって、炭酸ガス、窒素ガスを取り込んで光合成等のエネルギー置換及び交換を行う。このバイオ処理とエネルギー置換及び交換によって、処理水のほぼ完全な酸化・変敗・腐敗の防止を実現し、好気性・嫌気性フザリウム属を消滅させ、微生物のすべての有害作用を有効作用に導くのである。【００１４】  さらに、第１ないし第４段階のそれぞれの微生物処理槽２の最後の部分、及びそれぞれの自然沈降型沈殿槽３、及び掻寄せ式沈殿槽６において、固形発酵（嫌気発酵）を起こさせ、地球の３６億〜４０億年前の、大気が６００℃、酸素はなく、濃硫酸の海で、放射線、γ線、Ｘ線、有害電磁波、有害物質及び重金属のみの、ほとんど有機基質が存在しない、現在で言うエントロピーのみの世界であった、そのような有機的代謝、交代がない状態で、直接エネルギーの置換と交換によって増殖していた微生物を現生させ、あらゆる物質に対する対抗性な情報接合を生じさせ、分解菌、分解酵素を現生させ、物質構造レベル、分子構造レベル、分子レベル、原子団レベル、原子レベル、イオンレベルの各段階に応じて、それぞれ分解、合成、融合を起こさせ、有害物質である放射能・放射性物質を分解消失するものである。【００１５】  最後に、微生物酵素を含む沈澱槽からの上澄水をシリカ触媒槽、カーバン触媒槽、マテリアル触媒槽、カーボンフィルター、ミクロフィルターを通過させて、エネルギー触媒反応を起させて、残留する放射能・放射性物質をさらに分解消失するものである。
【発明を実施するための最良の形態】
【００１６】  さらに前記目的を達成するために、請求項１に記載した本発明の複合微生物体系の複合微生物動態系解析における複合発酵法を用いた放射能・放射性物質分解処理方法は、廃液・廃水中の放射能・放射性物質の含有量によって腐敗発酵、発酵、発酵合成、合成のそれぞれの段階における複合発酵の進行過程が異なることから、必要な数が決定される微生物処理槽と、その槽の後に連結した沈殿槽からなる微生物処理装置を、放射能・放射性物質の処理に必要な腐敗発酵、発酵、発酵合成、合成の過程の数に応じて設置した廃液・廃水浄化設備であって、各微生物処理槽には、それぞれ所定の微生物が現生・発現するための菌床を投入しかつエアーを供給するように構成し、腐敗発酵及び発酵段階の微生物処理装置の前段階に放射能・放射性物質の含有量によって必要な数が決定される加圧タンクを設け、各微生物処理槽に一定量の排水が流入するようにし、各微生物処理装置で処理を終えた処理水をそれぞれ次の段階の微生物処理装置へ滞留が起きない様に水の流れを造って送り、それぞれの沈殿槽において沈殿して固形発酵した菌床をそれぞれ前段階の微生物処理装置の最初の槽へ個別にあるいは同時に返送する様に構成し、最後の沈殿槽において、上澄水をオーバーフローさせ、その後にバイオ触媒槽を設け、その後に放射能・放射性物質の質と濃度によって設置する数が決定されるシリカ触媒槽、カーボン触媒槽、マテリアル触媒槽、カーボンフィルター、及びミクロフィルターを設けたことを特徴とするものである。
【実施例】
【００１７】  本発明の実施例について添付図面に基づいて詳細に説明する。
図１は本発明である複合微生物体系の複合微生物動態系解析における複合発酵法を用いた放射能・放射性物質分解処理方法を説明するための概略立面図である。処理の前段階としてＥＭＢＣ酵素液等から次の方法で、バイオ増殖液を製造する。攪拌用として長方形の水槽を用意し、容積の５０％量の３８℃の水を入れ、重量比３％の糖蜜を投入して、人力で１５分間上下に攪拌し、３％濃度の糖蜜液（以下、糖蜜水という）を作る。それに水の量の４０％のＥＭＢＣ酵素液を投入し、１０分間人力で上下に攪拌する。これをエアレーションを施した円筒形の曝気槽にポンプで送入し、５分間強レベルのエアレーションをした後、中レベルでエアレーションを続け２４時間放置し、１５分間人力で上下に攪拌した後、中レベルでエアレーションを続け２４時間放置し、３％糖蜜液を上記水の量の６０％投入し中レベルでエアレーションを続け２４時間放置し、上記水の量に対する重量比１％の鶏糞と同量のおからを投入し、人力でよく攪拌する。この液体全体の１０％を攪拌用の水槽に移し、重量比１０％の鶏糞と同量のおからを投入し、人力でよく攪拌し曝気槽に戻し、使用するまで最低４８時間、２４時間ごとに人力で１５分間攪拌し、微弱レベルのエアレーションをしつづける。この状態の液体をバイオ増殖液と言う。【００１８】  バイオ増殖液を使用し、放射能・放射性物質受入準備を行なう。エアレーション装置を付けた貯蔵タンクに放射能・放射性物質（放射性廃棄物を含む液体）を貯蔵タンク容積の８０％の量投入し、放射能・放射性物質の量に対し、重量比０・０５％の糖密を入れ強レベルのエアレーションを１５分実施し、一度エアレーションを切ってからバイオ酵素Ｘを放射能・放射性物質の量に対し重量比１％投入し、中レベルでのエアレーションを実施する。７２時間後バイオ増殖液を放射能・放射性物質の量に対し重量比１０％〜１２％を投入し、中レベルでのエアレーションを継続する。４８時間後柿の葉と枇杷の葉をそれぞれ放射能・放射性物質の量に対し重量比０・１５％用意し、同じく重量比２・５％ノ水を加え、ミキサーで粉砕した後、貯蔵タンクに入れ、中レベルのエアレーションを継続する。４８時間後バイオ酵素Ｙを投入し、中レベルのエアレーションを続ける。これ以降は、午前８時から午後３時までと午後５時から午後８時の間はエアレーションを切り、残りの時間は中レベルのエアレーションを入れる。【００１９】  最初の受入槽から微生物処理槽を経て掻寄式沈澱槽、次の中継槽から微生物処理槽を経て加圧タンク、中継槽、微生物処理槽を経て自然沈降型沈澱槽、及びバイオ触媒槽までの各槽に槽の容量の８０％の水道水を注入する。最初の微生物処理槽から掻寄式沈澱槽の後の微生物処理槽と加圧タンク後の中継槽のそれぞれに前記３％糖蜜水を槽の容量に対し０・１５％注入し、加圧タンク後の微生物処理槽には３％糖蜜水を槽の容量に対し各０・１５％、バイオ触媒槽に同様に０・４％注入し、いずれも中レベルのエアレーションをかける。２４時間後最初の微生物処理槽にバイオ酵素Ｚをよく攪拌して槽の容量に対し各１４％を投入し、掻寄式沈澱槽の後の微生物処理槽、及び加圧タンク後の中継槽にバイオ酵素Ｚをよく攪拌して各１３％投入し、加圧タンク後の微��物処理槽には各１４％を投入し、中レベルのエアレーションを続行する。最初の微生物処理槽では菌床ＭＬＳＳ濃度を５０００ｐｐｍ、掻寄式沈澱槽後の微生物処理槽では４０００ｐｐｍ、加圧タンク後の微生物処理槽では３０００ｐｐｍを目標とし、各微生物処理槽のエアレーションを４時間停止し、各槽の上層水を適量取り出し、ＭＬＳＳ濃度によって適量のバイオ増殖液と水道水を加える方法で、９６時間内に上記菌床ＭＬＳＳ濃度を達成する。全槽の菌床ＭＬＳＳ濃度が設定値に達した後、エアレーションをタイマー制御式とし、最初の微生物処理槽では１日３時間毎の間欠エアレーションを実施し、掻寄式沈殿槽後の微生物処理槽では午前９時から午後３時まではエアレーションを切り、残りの時間はエアレーションをかけ、加圧タンク後の微生物処理槽では常時エアレーションを継続するものとする。【００２０】  本実施例では、試料貯蔵タンク内の総量４５００Ｌの試料（耐放射性菌誘導ための事前処理済）を１日１００Ｌの割合で汲み出して空になるまでの段階（第一段階、５０日間）と、その後に最終段の処理水を２の受入槽に戻して循環させることで、全系統内部に残った放射性物質を減量して行く段階（第二段階、１２０日間）に分けて処理した。【００２１】  第一段階の処理として、上記の前処理の終了後、処理対象である放射能・放射性物質（放射性廃棄物を含む液体）を貯蔵タンクから、毎日一定量を受入槽に移送し、そこでバイオ酵素Ｘを散布してよく攪拌する。そこから放射性廃棄物の質と濃度によって数が決定される曝気された微生物処理槽に２４時間連続で一定量投入し、自然流下で微生物処理槽を通り、掻寄式沈澱槽へ移送する。沈澱槽の底部に沈降した耐放射性菌床を、発酵状態によって決定される返送量にしたがって、最初の微生物処理槽へ返送する。沈澱槽の上澄水は自然流下で中継槽に移送する。ここまでが発酵系微生物優先処理である。【００２２】  中継槽から放射性廃棄物の質と濃度によって数が決定される断続曝気運転（バッチ式）の微生物処理槽と２４時間連続加圧及び攪拌を行なう加圧タンクに次の手順で沈降させた上澄水を移送する。まず、最初に加圧タンクから中継槽２へ上澄水を移送し、次に加圧タンクの直前の微生物処理槽から上澄水を加圧タンクに移送する。この時、上澄水と一緒にバイオ酵素Ｙを加圧タンクに投入し、よく攪拌した後加圧する。上澄水を移送した微生物処理槽の曝気を開始し、直前の微生物処理槽から曝気を開始した微生物処理槽へ上澄水を移送し、移送した微生物処理槽の曝気を開始する。この手順を繰り返し、最後に掻寄式沈澱槽の後の中継槽にバイオ酵素ＺとＥＭＢＣ増殖液を散布し、よく攪拌した後、槽内の液を微生物処理槽に移送する。ここまでが発酵合成系微生物処理である。【００２３】  次に中継槽２から一定量にて放射性廃棄物の質と濃度によって数が決定される曝気された微生物処理槽に２４時間連続投入し、自然流下で微生物処理槽を通り、自然沈降型沈澱槽に移送する。沈澱槽の底部に沈降した菌床は合成の状態によって決定される返送量にしたがって中継槽２の直後の微生物処理槽へ返送する。沈澱槽の上澄水は自然流下でバイオ触媒槽を通り、直後の中継槽へ移送される。この段階までが合成系微生物処理である。【００２４】  バイオ触媒槽直後の中継槽から一定量ポンプで放射性廃棄物の質と濃度によって数が決定されるシリカ触媒槽に注入し、自然流下で放射性廃棄物の質と濃度によって数が決定されるカーボン触媒槽・マテリアル触媒槽を通過して中継槽に貯留された液体をポンプで一定量移送し、放射性廃棄物の質と濃度によって数が決定されるカーボンフィルター・ミクロフィルターを通過させ、最終処理水をえるのである。この段階が合成融合系処理である。【００２５】  前記ＥＭＢＣ酵素液は、水９０重量％、松、笹、梅、無花果、栗、桃、柿の葉から抽出した抽出液６重量％、オカラ３重量％、糖蜜１重量％からなる原液に、空気中から微生物を混入させて、１ｃｃあたりの微生物数（生菌数）が、１０７〜１０８から１０９に増加すると菌の死滅がなくなり、それによって、１０２０〜１０３０へと飛躍的に増大し、微生物の高密度化がおき、さらにこの水溶液内で微生物酵素の高濃度化が起き、前記松、笹、無花果、栗、桃、柿の葉に含まれる植物酵素とともに結合結晶化（合成融合）し、誘導体たる抗酸化物質が生成される。この抗酸化物質を含む溶液を濾過して前記酵素液を得るのである。
バイオ酵素Ｘは、柿の葉などの植物類を原料とした放射性物質吸収剤であり、バイオ酵素Ｙは、動物類を原料とした放射性物質吸収剤であり、バイオ酵素Ｚは、ＳｉＯ２などの鉱物類を原料とした放射性物質吸収剤である。【００２６】  最初の微生物処理槽において、前記酵素液を投入し、掻寄式沈殿槽において固形発酵した菌床を、固形菌返送ポンプ２２を用いて固形菌返送パイプ６を通じて投入し、上部を連結してオーバーフローにより順次次の槽に自動的に送水する構造を持つ微生物処理槽すべてにブロワー１９によって送気パイプ２０を通じてエアーを散気管２１に送り、エアレーションすることで、空気中の微生物を槽内に送りこみ、複合発酵法を用いて、微生物の機能性と基質性と情報性による発酵法、増殖法、誘導法により、単発酵、復発酵、並行復発酵、平衡復発酵、固体（固形）発酵を同時に行い、好気性菌と嫌気性菌及び通性嫌気性菌類すべての微生物群の共存、共栄、共生を可能にするものである。この最初の受入槽、微生物処理槽、及び掻寄式沈殿槽の組み合わせによる処理においては、発酵系優先微生物処理を行うものである。【００２７】  そして、共存、共栄、共生が起きることによって、フザリウム属の占有率を抑制し、酸化、変敗、腐敗を断ち切り、生態系内における微生物群の死滅率がゼロになることによって、すべての微生物群を発酵から合成に導き、生菌数を１ミリリットルあたり１０のｎ乗から無限大とし、同時に生菌数が１種類１ミリリットルあたり１０の９乗を超えると、菌のスケールが１０分の１以下となり、凝集化（固形化）を生じ、数千種、数万種の増殖が可能となる。これにより、微生物の高密度化が起こり、微生物のＤＮＡ核内に一酸化窒素、二酸化窒素及び高分子タンパク結晶による情報接合とエネルギー接合を引き起こし、その結果、微生物間でのＤＮＡ融合が生じ、融合微生物による対抗性菌、耐衡性菌により獲得した酵素及びタンパク質の高分子結合結晶が発生し、情報触媒の作用として情報とエネルギーを現生・発現させ、放射能・放射性物質の分子、原子レベルに対する分解菌並びに分解酵素を現生させて、放射能・放射性物質を分解消失するものである。【００２８】  次に微生物処理槽と加圧タンクを組み合わせた装置によって、処理水を十分に発酵させる。即ち、第１段階の掻寄式沈殿槽からオーバーフローした処理水を、処理水移送パイプ３を通じて中継槽に導き、処理水送水ポンプ（定量式）２４によって、一定量ずつ微生物処理槽へ投入し、必要に応じてＥＭＢＣ酵素液を加えて発酵させ、処理水送水ポンプ（バッチ式）２３により処理水移送パイプ３を通じてブロワ−１９によって散気管２１に送気パイプ２０を通じて送気してエアレーションしている加圧タンクに導入する。この加圧タンク８から処理水移送ポンプ（バッチ式）２３によって中継槽に移送し、微生物処理槽すべてと中継槽にブロワ−１９によって送気パイプ２０を通じてエアーを散気管２１に送り、エアレーションすることで、空気中の微生物を槽内に送りこみ、発酵合成微生物群処理を十分に行わせるのである。【００２９】  次に、前段階に用いたと同様の微生物処理槽と自然沈降型沈殿槽、及び不織布を一定の間隔で槽内に垂れ下げたバイオ触媒槽１２を設置し、前の���継槽９から処理水送水ポンプ２４によって処理水を、処理水移送パイプ３を通じて、ブロワー１９によって散気管２１に送気パイプ２０を通じて送気してエアレーションしている微生物処理槽１０に導き、必要に応じてＥＭＢＣ酵素液を投入し、自然沈降沈殿槽１１において固形発酵した菌床を、固形菌返送ポンプ２３を用いて固形菌返送パイプ６を通じて微生物処理槽１０に返送し、微生物処理槽、及びバイオ触媒槽にブロワ−１９によって送気パイプ２０を通じてエアーを散気管２１に送り、エアレーションすることで、空気中の微生物を槽内に送りこみ、主として嫌気性菌類による合成系微生物処理を行うのである。【００３０】  以上により、第１段階の好気性菌類による発酵系優先微生物処理と、第２段階の好気性菌類及び嫌気性菌類の乳酸菌、放線菌による発酵及び発酵合成系微生物群処理と、第３段階の主に嫌気性菌類による合成系微生物群処理により、抗酸化作用による酸化、変敗、腐敗の抑制、アミノ酸、糖類、ビタミン、ミネラル等の生理活性物質の生成及び大腸菌、雑菌、一般細菌の抑制、ストレプトマイセス・ペニシリウム等抗生物質の生成及びウィルス、病原菌、リケッチャーの滅菌、増殖抑制を行い、また、光合成細菌、藻菌類、光合成微生物が、光源の光によって、炭酸ガス、窒素ガスを取り込んで光合成等のエネルギー置換及び交換を行う。このバイオ処理とエネルギー置換及び交換によって、処理水のほぼ完全な酸化・変敗・腐敗の防止を実現し、好気性・嫌気性フザリウム属を消滅させ、微生物のすべての有害作用を有効作用に導くのである。【００３１】  第１ないし第３段階のそれぞれの微生物処理槽の最後の部分、及び掻寄式沈澱槽、自然沈降型沈殿槽において、固形発酵（嫌気発酵）を起こさせ、地球の３６億〜４０億年前の、大気が６００℃、酸素はなく、濃硫酸の海で、放射線、γ線、Ｘ線、有害電磁波、有害物質及び重金属のみの、ほとんど有機基質が存在しない、現在で言うエントロピーのみの世界であった、そのような有機的代謝、交代がない状態で、直接エネルギーの置換と交換によって増殖していた微生物を現生させ、あらゆる物質に対する対抗性な情報接合を生じさせ、分解菌、分解酵素を現生させ、物質構造レベル、分子構造レベル、分子レベル、原子団レベル、原子レベル、イオンレベルの各段階に応じて、それぞれ分解、合成、融合を起こさせ、有害物質を分解消失するものである。【００３２】  第３段階の自然沈降型沈殿槽１１においては、放射能・放射性物質の分解消失が行なわれているが、さらに分解消失を進めるために、自然沈降型沈殿槽の後に中継槽７を設置し、処理水移送パイプ３によって、中継槽７に導き、そこから処理水送水ポンプ（定量式）２４によって処理水移送パイプ１２を通じて一定量をシリカ触媒槽１３とカーボン触媒槽１４、及びマテリアル触媒槽１５を通過させて処理水移送パイプ３によって中継槽７に導き、そこから処理水送水ポンプ（定量式）２４によって処理水移送パイプ３を通じて一定量をカーボンフィルター１６、及びミクロフィルター１７を通過させ、処理水放流パイプ１８を通して放流する。この時、逆洗浄水送水パイプ２５から水を通水し、シリカ触媒槽１３、カーボン触媒槽１４、及びマテリアル触媒槽１��を逆洗浄して洗浄した水を逆洗浄水排水パイプを通して、第１段階の微生物処理槽の最初の槽に戻す。これにより、第４段階の合成系微生物群処理によって処理し切れなかった場合に残留する微量の放射能・放射性物質を、エネルギー触媒反応を起させてさらに分解消失するものである。また、逆洗浄によって合成系微生物群を回収し、第１段階に戻すことによって、第１段階の複合発酵を促進する効果をもたらすものである。【００３３】  第二段階の処理として、開始日から６日間、処理水槽から処理水５００Ｌを大型受入槽に取り出し、その受入槽から１時間あたり１２．６Ｌの定量で、最初の微生物処理槽４に注入し、上澄水をそれぞれ次の微生物処理槽、及び掻き寄せ式沈澱槽５に移送する。掻き寄せ式沈澱槽５の底部に沈降した耐放射性菌床は、流入量に対して不定期的にポンプ２２で毎回１０〜１５Ｌの量を最初の微生物処理槽４に返送し、掻き寄せ式沈澱槽５の上澄水は、中継槽７に自然流下で移送する。微生物処理槽４は、１０槽共断続エアレーション運転（バッチ式）とし、加圧タンク８は２４時間連続加圧（２ｋｇ／ｃｍ２）及び攪拌する。微生物処理槽４は、午前１０時〜午後５時はエアレーションを切り、午後５時から翌日午前１０時まではエアレーションを行う。毎日午後３時に加圧タンク内８の液体、及び微生物処理槽４の沈降させた上澄水を１００〜１８０Ｌずつ、以下の方法で抽出する。まず、加圧タンク５から中継槽９へ１００〜１８０Ｌ移送する。加圧タンク直前の微生物処理槽４から上澄水を加圧タンク８に加圧タンクから移送したのと同量１００〜１８０Ｌ移送する。この時、上澄水と一緒にバイオ酵素Ｙ１ｋｇを加圧タンク内８に投入し、よく攪拌した後、加圧（２ｋｇ／ｃｍ２）する。同様に直前の微生物処理槽から次の微生物処理槽へ同量を移送する。掻き寄せ式沈澱槽の次の中継槽７から同量を直後の微生物処理槽に移送する。掻き寄せ式沈澱槽５の直前の微生物処理槽４から別の中継槽に１００〜１８０Ｌの上澄水を注入し、その中継槽から１時間あたり７．５Ｌで掻き寄せ式沈澱槽５に注入し、その上澄水を直後の中継槽に自然流下させる。それぞれ直前の微生物処理槽から同量の上澄水を移送する。開始から２１日目以降、中継槽９から１時間あたり４．２〜７．５Ｌを最初の微生物処理槽へ注入する。開始から３３日目以降、処理水槽から１００〜１８０Ｌを最初の微生物処理槽へ注入する。微生物が占有している各槽の微生物の状態（ＭＬＳＳ、ＤＯ、ＳＶ、色、臭い、泡の状態、及び上澄水の透明度等から判断）に応じて、ＥＭＢＣ培養液とバイオ酵素を適量追加し、同時にエアレーション強度とタイミング、処理水循環量などを調整する。中継槽９から１時間あたり４．２〜７．５Ｌを次の微生物処理槽１０の頭へ連続投入し、自然流下で、次の微生物処理槽１０及び沈澱槽１１へ移送される。沈澱槽１１の底部に沈降した菌床は、不定期的にエアーリフトで１０〜１５Ｌ微生物処理槽１０の頭へ返送する。沈澱槽１１の上澄水は、自然流下で、バイオ触媒槽１２を経て、次の中継槽７へ移送される。【００３４】  実施例では、試料としてセシウム１３７を用い、投入総量から流出総量と残存総量を引いた量を計算し、その量を投入総量で割ったものを消失率と���て計算したところ、投入した原水の総放射活度は、６億９８５４万４０００ベクレル（Ｂｑ）で、これからプラント内に残存していた残存総量３億３０６９万６２００ベクレル（Ｂｑ）と流出した総量７２５万３１０ベクレル（Ｂｑ）を差引くと消失総量は３億２９２５万４８１０ベクレル（Ｂｑ）であり、消失率は約４７％であった。
【図面の簡単な説明】
【図１】  本発明である複合微生物体系の複合微生物動態系解析における複合発酵法を用いた放射能・放射性物質分解処理方法を説明するための概略立面図
【符号の説明】
１  廃液投入パイプ
２  受入槽
３  処理水移送パイプ
４  微生物処理槽（ＰＥ製角型）
５  掻寄せ式沈殿槽
６  固型菌返送パイプ
７  中継槽（鉄製丸型）
８  加圧タンク
９  中継槽（ＰＥ製角型）
１０  微生物処理槽（鉄製角型）
１１  自然沈降型沈殿槽
１２  バイオ触媒槽
１３  シリカ触媒槽
１４  カーボン触媒槽
１５  マテリアル触媒槽
１６  カーボンフィルター
１７  ミクロフィルター
１８  処理水放流パイプ
１９  ブロワー
２０  送気パイプ
２１  散気管
２２  固型菌返送ポンプ
２３  処理水送水ポンプ（バッチ式）
２４  処理水送水ポンプ（定量式）
２５  逆洗浄送水パイプ
２６  逆洗浄排水パイプ
【図１】
2005321365.tif 000009